(57)【特許請求の範囲】
【請求項１】
柱及び梁から略直方体状の骨組みが形成されるとともに装飾用建物構造物が外壁材の外面から突出して設けられる建物ユニットであって、
前記装飾用建物構造物を支持するブラケットを前記柱に予め工場で取り付け、このブラケットと柱とに防水部を設け、前記ブラケットは前記柱に沿って上下にそれぞれ接合された箱状部を有し、これらの箱状部に前記装飾用建物構造物側が上下で係止され、前記防水部は前記ブラケットと前記外壁材との間に取り付けられたパッキン材を有することを特徴とする建物ユニット。
【請求項２】
請求項１に記載された建物ユニットにおいて、
前記装飾用建物構造物はピラスターであり、前記ブラケットは工場にて予め前記骨組みに取り付けられたユニット側ブラケットと、前記ピラスター側に取り付けられたピラスター側ブラケットとを備え、これらのユニット側ブラケットとピラスター側ブラケットとが互いに連結されることを特徴とする建物ユニット。
【請求項３】
請求項２に記載された建物ユニットにおいて、
前記ピラスター側ブラケットは前記ピラスターに予め取り付けられた係合部に係合されることを特徴とする建物ユニット。
【請求項４】
請求項１に記載された建物ユニットにおいて、
前記装飾用建物構造物はファサードウォールであり、前記ブラケットはユニット側ブラケットを備えることを特徴とする建物ユニット。
【請求項５】
請求項１に記載された建物ユニットにおいて、
前記装飾用建物構造物はウィングウォールであり、前記ブラケットはユニット側ブラケットを備えることを特徴とする建物ユニット。
【請求項６】
請求項１から請求項５のいずれかに記載された建物ユニットを含んで構成されることを特徴とするユニット式建物。
【請求項７】
請求項１から請求項５のいずれかに記載された建物ユニットを用いてユニット式建物を施工する方法であって、工場において、前記ブラケットを前記骨組みに取り付け、このブラケットと前記骨組みとに防水部を設け、建築現場では、前記ブラケットに前記装飾用建物構造物を支持することを特徴とするユニット式建物の施工方法。
【発明の詳細な説明】
【技術分野】
【０００１】
本発明は、装飾用建物構造物が外壁材の外面から突出して設けられる建物ユニット、この建物ユニットを用いたユニット式建物、並びにユニット式建物の施工方法に関する。
【背景技術】
【０００２】
建物ユニットを複数並べてユニット式建物が施工される。建物ユニットは、柱及び梁から略直方体状の骨組みが形成されるとともに骨組みに外壁材が必要に応じて取り付けられるものである。
工場で製造された建物ユニットはトラックで建築現場まで搬送され、建築現場では、クレーン等を用いて組み合わされることでユニット式建物が施工される。
【０００３】
装飾上の観点から、建物では、外壁材の外面から突出して装飾用建物構造物、例えば、ピラスター（付け柱）、ファサードウォール、ウィングウォール等が設けられることがある。
通常、建物ユニットは、その平面の大きさがトラックで搬送可能な面積まで設定されるので、工場にて建物ユニットの外壁材に装飾用建築構造物を取り付けると、トラックの輸送制限を超えることになる。
ユニット式建物で装飾用建築構造物を施工するために、従来では、ファサードを建物ユニットの内部に組み込んでおくユニット式建物がある（特許文献１）。
このファサード用の建物ユニットは、１本の梁を欠損させた骨組みに中間柱を２本設け、これらの中間柱に中間上梁をそれぞれ連結し、これらの中間上梁の途中部分を互いに天井梁で連結する構成である。
【０００４】
【特許文献１】特開２００５−１６０５２号公報（図１，４，５参照)
【発明の開示】
【発明が解決しようとする課題】
【０００５】
しかしながら、特許文献１で示される従来例では、ファサードを建物ユニットとして構成しているので、ファサード自体の構造が複雑となるという課題がある。
そこで、ファサードを構成する部材を工場で製造し、建設現場では、この構成部材を外壁材に取り付けることも考えられるが、それでは、ファサードと外壁材との防水処理を現場で行わなければならず、現場作業が煩雑となる。
【０００６】
本発明の目的は、構造を複雑化することがなく現場で容易に装飾用建物構造物を施工することができる建物ユニット、ユニット式建物及びユニット式建物の施工方法を提供することにある。
【課題を解決するための手段】
【０００７】
本発明の建物ユニットは、図面を参照して説明すると、柱１０及び梁１２，１３から略直方体状の骨組み１４が形成されるとともに装飾用建物構造物１Ａ，１Ｂが外壁材１７の外面から突出して設けられる建物ユニット３２，３３，４２，４３であって、前記装飾用建物構造物を支持するブラケット２１〜２６を前記骨組み１４に予め工場で取り付け、このブラケットと柱とに防水部２０を設け、前記ブラケットは前記柱に沿って上下にそれぞれ接合された箱状部２１２Ｂを有し、これらの箱状部に前記装飾用建物構造物側が上下で係止され、前記防水部は前記ブラケットと前記外壁材との間に取り付けられたパッキン材を有することを特徴とする。
この構成の発明では、工場にてブラケットと骨組みとの防水処理が完結しているので、現場での防水処理が容易となる。さらに、装飾用建物構造物自体を建物ユニットで構成しないから、装飾用建物構造物用の特別構造の建物ユニットを、通常の居室等を構成する建物ユニットとは別に用意しなくてもよいので、建物ユニットの構造が複雑にならない。
【０００８】
この構成の発明では、骨組みの柱に沿った部分にブラケットが接合されるので、装飾用建物構造物の垂直荷重がブラケットを介してそのまま柱に伝達されることになり、装飾用建物構造物を建物ユニットで確実に支持することができる。
【０００９】
前記装飾用建物構造物はピラスター１Ａであり、前記ブラケット２１〜２３は工場にて予め前記骨組みに取り付けられたユニット側ブラケット２１１，２２１，２３１と、ピラスター側に取り付けられたピラスター側ブラケット２１２，２２２，２３２とを備え、これらのユニット側ブラケット２１１，２２１，２３１とピラスター側ブラケット２１２，２２２，２３２とが互いに連結される構成が好ましい。
この構成の発明では、建物ユニットの構造を複雑化することなく、ピラスターをユニット式建物に容易に施工することができる。
【００１０】
前記ピラスター側ブラケットは前記ピラスターに予め取り付けられた係合部２１２Ｄ，２２２Ｃに係合される構成が好ましい。
この構成の発明では、ピラスター側ブラケットを係合部に係合することで、ピラスターの取付作業を容易に行うことができる。
【００１１】
前記装飾用建物構造物はファサードウォール１Ｂであり、前記ブラケット２４〜２６はユニット側ブラケット２４１を備える構成が好ましい。
この構成の発明では、建物ユニットの構造を複雑化することなく、ファサードウォールをユニット式建物に容易に施工することができる。
前記装飾用建物構造物はウィングウォール１Ｃであり、前記ブラケットはユニット側ブラケット２７１を備える構成が好ましい。
この構成の発明では、建物ユニットの構造を複雑化することなく、ウィングウォールをユニット式建物に容易に施工することができる。
【００１２】
本発明のユニット式建物は、前述の建物ユニットを含んで構成されることを特徴とする。
この構成の発明では、前述の効果を奏することができるユニット式建物を提供することができる。
【００１３】
本発明のユニット式建物の施工方法は、前述の建物ユニットを用いてユニット式建物を施工する方法であって、工場において、前記ブラケットを前記骨組みに取り付け、このブラケットと前記骨組みとに防水部を設け、建築現場では、前記ブラケットに前記装飾用建物構造物を支持することを特徴とする。
この構成の発明では、前述の効果を奏することができるユニット式建物の施工方法を提供することができる。
【発明を実施するための最良の形態】
【００１４】
以下に、本発明の実施形態を図面に基づいて説明する。
図１から図１８に基づいて本発明の第１実施形態を説明する。
図１には第１実施形態にかかるユニット式建物の概略構成が示されている。
図１において、ユニット式建物１は、基礎２の上に設けられた１階用の建物ユニット３１〜３３と、これらの１階用の建物ユニット３１〜３３の上に配置された２階用の建物ユニット４１〜４３と、これらの２階用建物ユニット４１〜４３の上に配置された図示しない屋根とを備えた建物である。これらの建物ユニット３１〜３３，４１〜４３は図示しない連結手段、例えば、プレートやボルト及びナットを介して互いに連結されている。
ユニット式建物１の正面側の一側には装飾用建物構造物としてのピラスター１Ａが上下に延びて１列形成され、他側には装飾用建物構造物としてのファサードウォール１Ｂが上下に延びて２列形成されている。
ピラスター１Ａは１階用のピラスター材１８１と、２階用のピラスター材１８２とから構成され、これらのピラスター材１８１，１８２は上下に直線上に延びて配置されている。
ファサードウォール１Ｂは１階用のファサードウォール材１９１と、２階用のファサードウォール材１９２とから構成され、これらのファサードウォール材１９１，１９２は上下に延びて配置されている。
【００１５】
１階用の建物ユニット３１〜３３は、標準の建物ユニット３１と、ピラスター材１８１が取り付けられた建物ユニット３２と、ファサードウォール材１９１が取り付けられた建物ユニット３３との３種類から構成されている。
２階用の建物ユニット４１〜４３は、標準の建物ユニット４１と、ピラスター材１８２が取り付けられた建物ユニット４２と、ファサードウォール材１９２が取り付けられた建物ユニット４３との３種類から構成されている。
【００１６】
標準の建物ユニット３１，４１の構成が図２に示されている。図２は、標準の建物ユニット３１，４１の概略斜視図である。
図２において、標準の建物ユニット３１，４１は、四隅に立設された４本の柱１０と、これらの柱１０の上端間同士を結合する各２本の長辺天井梁１２Ａ及び短辺天井梁１２Ｂを含む天井梁１２と、前記柱１０の下端間同士を結合する各２本の長辺床梁１３Ａ及び短辺床梁１３Ｂを含む床梁１３と、これらの梁１２，１３の端部同士を互いに接合する仕口１１とを有する骨組み１４を備えている。
ここで、長辺天井梁１２Ａ、短辺天井梁１２Ｂ、長辺床梁１３Ａ及び短辺床梁１３Ｂは、それぞれ断面コ字状の鋼材から形成されている。
天井梁１２の長辺天井梁１２Ａ間には、所定間隔で複数本の天井小梁１５が架けわたされ、床梁１３の長辺床梁１３Ａ間には、所定間隔で複数本の根太１６が架けわたされている。そして、建物ユニット３１，４１等の骨組み１４には、予め工場で、図示しない内壁や外壁材１７が必要に応じて取り付けられている。
【００１７】
図３及び図４にはピラスター１Ａが形成された建物ユニット３２、４２の構成が示されている。
図３はピラスター材１８１が取り付けられた１階用の建物ユニット３２の概略斜視図であり、図４はピラスター材１８２が取り付けられた２階用の建物ユニット４２の概略斜視図である。
図３において、１階用の建物ユニット３２は、標準の建物ユニット３１，４１と同じ骨組み１４を有するものであり、その正面には正面略矩形状の外壁材１７が取り付けられている。この外壁材１７の互いに隣り合う上下の角部は略矩形状の切欠き１７Ａがそれぞれ形成されている。この切欠き１７Ａから骨組み１４の上下部分がそれぞれ露出されており、この露出した骨組み１４の上部には第１のブラケット２１を介して１階用のピラスター材１８１の上部が取り付けられ、露出した骨組み１４の下部には第２のブラケット２２を介して１階用のピラスター材１８１の下部が取り付けられている。
図４において、２階用の建物ユニット４２は、標準の建物ユニット３１，４１と同じ骨組み１４を有するものであり、その正面には正面略矩形状の外壁材１７が取り付けられている。この外壁材１７の上側角部は略矩形状の切欠き１７Ａが形成されている。この切欠き１７Ａから骨組み１４の上部分が露出されており、この露出した骨組み１４には第３のブラケット２３を介して２階用のピラスター材１８２が取り付けられている。
【００１８】
図５から図１１にはピラスター材１８１、１８２の骨組み１４への取付構造が示されている。
図５はピラスター材１８１、１８２の骨組み１４への取付構造を示す縦断面図であり、図６は１階用のピラスター材１８１の上部と第１のブラケット２１との取付構造を示す分解斜視図であり、図７は１階用のピラスター材１８１の下部と第２のブラケット２２との取付構造を示す分解斜視図であり、図８は、その縦断面図であり、図９は、図５のＩＸ−ＩＸ線に沿う断面図である。
これらの図において、ピラスター材１８１，１８２は、それぞれコンクリート等から形成され裏面に凹部が形成された断面略コ字状の長尺ブロック体であり、その上下の長さ寸法は外壁材１７の上下の長さ寸法と略等しい。
【００１９】
図５及び図６において、第１のブラケット２１は、工場にて予め骨組み１４に取り付けられたユニット側ブラケット２１１と、ピラスター側に取り付けられたピラスター側ブラケット２１２とを備え、これらのユニット側ブラケット２１１とピラスター側ブラケット２１２とが互いに連結された構成である。
ユニット側ブラケット２１１は、矩形状の正面板部２１１Ａの４辺に壁辺部２１１Ｂが立設され裏面が建物ユニット３２の仕口１１と柱１０の上端部とに開口された開口部を有する箱状部材であり、その壁辺部２１１Ｂの開口端端縁部が仕口１１及び柱１０の正面に溶接で接合されている。このユニット側ブラケット２１１と仕口１１及び柱１０の正面側との間には防水部２０が設けられている。
この防水部２０はユニット側ブラケット２１１の周縁部に沿って形成されるものであり、適宜な手段、例えば、ユニット側ブラケット２１１と外壁材１７との間にパッキン材を取り付ける、あるいは、ユニット側ブラケット２１１と仕口１１及び柱１０との間に防水テープを設ける等の手段を採用することができる。これにより、防水ラインが柱１０の長手方向に沿って形成されることになる。
ユニット側ブラケット２１１の正面板部２１１Ａには図示しない孔部が上下２箇所形成され、これらの孔部に対応した裏面側にはナット２１１Ｃがそれぞれ溶接で固定されている。
【００２０】
ピラスター側ブラケット２１２は、ユニット側ブラケット２１１の正面板部２１１Ａに対向する板部２１２Ａと、この板部２１２Ａの上部に溶接固定された箱状部２１２Ｂと、この箱状部２１２Ｂの正面に固定された係合片部２１２Ｃとを備えている。この係合片部２１２Ｃは箱状部２１２Ｂの正面部と当接される両側部と、これら両側部に開口端縁が一体形成されるとともに箱状部２１２Ｂの正面との間に所定の隙間が形成されたコ字状の中央部とを有する構造である。箱状部２１２Ｂの上面とユニット側ブラケット２１１の上面、天井梁１２Ａの上面とは略同一面内にある。
中央部と箱状部２１２Ｂの正面との間の隙間に係合部としてのアングル材２１２Ｄの一片部が挿通される。このアングル材２１２Ｄは、その他端片部がピラスター材１８１の裏面側上端部に形成された取付凹部に当接されるとともにボルト２１２Ｅでピラスター材１８２に取り付けられている。
板部２１２Ａは、その上下に２箇所（図６では１箇所のみ示す）の孔部がナット２１１Ｃに対応する位置に形成され、これらの孔部を通ったボルト２１２Ｆがナット２１１Ｃに螺合される。
箱状部２１２Ｂの上面には係合孔２１２Ｇが形成されている。
【００２１】
図５、図７から図９において、第２のブラケット２２は、工場にて予め骨組み１４に取り付けられたユニット側ブラケット２２１と、ピラスター側に取り付けられたピラスター側ブラケット２２２とを備え、これらのユニット側ブラケット２２１とピラスター側ブラケット２２２とが互いに連結された構成である。
ユニット側ブラケット２２１は、前述のユニット側ブラケット２１１と同様の形状であり、このユニット側ブラケット２２１と仕口１１及び柱１０の正面側との間には防水部２０が設けられている。
ピラスター側ブラケット２２２は、ユニット側ブラケット２２１の正面板部２１１Ａに対向する板部２１２Ａと、この板部２１２Ａの下部に溶接固定された箱状部２１２Ｂと、この箱状部２１２Ｂの正面に一片部が固定された係合部としてのアングル材２２２Ｃとを備えており、このアングル材２２２Ｃは、その他片部がボルト２１２Ｅを介してピラスター材１８１の下端部に取り付けられている。
板部２１２Ａは、その上下に２箇所の孔部がナット２１１Ｃに対応する位置に形成され、これらの孔部を通ったボルト２１２Ｆがナット２１１Ｃに螺合される。
【００２２】
図１０は２階用のピラスター材１８２の上部と第３のブラケット２３との取付構造を示す分解斜視図であり、図１１は２階用のピラスター材１８２の下部と取付金具との取付構造を示す分解斜視図である。
図５及び図１０において、第３のブラケット２３は、工場にて予め骨組み１４に取り付けられたユニット側ブラケット２３１と、ピラスター側に取り付けられたピラスター側ブラケット２３２とを備え、これらのユニット側ブラケット２３１とピラスター側ブラケット２３２とが互いに連結された構成である。
ユニット側ブラケット２３１は、前述のユニット側ブラケット２１１と同様の形状であり、このユニット側ブラケット２３１と仕口１１及び柱１０の正面側との間には防水部２０が設けられている。
【００２３】
ピラスター側ブラケット２３２は、ユニット側ブラケット２３１の正面板部２１１Ａに対向する板部２１２Ａと、この板部２１２Ａの下部に溶接固定された箱状部２１２Ｂと、この箱状部２１２Ｂの正面に固定された係合片部２１２Ｃとを備えている。この係合片部２１２Ｃは、箱状部２１２Ｂの正面との間に所定の隙間が形成されたコ字状の中央部を有する構造であり、中央部と箱状部２１２Ｂの正面との間の隙間に係合部としてのアングル材２１２Ｄの長尺状に形成された一片部が挿通される。このアングル材２２２Ｄは、その他端片部がピラスター材１８２の上端部に形成された取付凹部に当接されるとともにボルト２１２Ｅでピラスター材１８２に取り付けられている。
板部２１２Ａは、その上下に２箇所（図１０では１箇所のみ示す）の孔部がナット２１１Ｃに対応する位置に形成され、これらの孔部を通ったボルト２１２Ｆがナット２１１Ｃに螺合される。
【００２４】
図５及び図１１において、２階用のピラスター材１８２の下部は取付金具２３３を介して１階用のピラスター側ブラケット２１２に支持されている。この取付金具２３３は、２階用のピラスター材１８２の下端部に形成された取付用凹部に当接する平板部２３３Ａと、この平板部２３３Ａに略直角に折れ曲がった垂直部２３３Ｂと、この垂直部２３３Ｂに略直角に形成された平板部２３３Ｃと、この平板部２３３Ｃに突設されるとともにピラスター側ブラケット２１２の係合孔２１２Ｇに係合される係合ピン２３３Ｄとを備えた構造である。平板部２３３Ａはボルト２１２Ｅでピラスター材１８２に取り付けられている。
【００２５】
図１２はファサードウォール１Ｂが形成された建物ユニット３３，４３の概略斜視図である。
図１２において、建物ユニット３３，４３は、標準の建物ユニット３１，４１と同じ骨組み１４を有するものであり、その正面には正面略矩形状の外壁材１７が取り付けられている。この外壁材１７は、左右の幅寸法が標準の建物ユニット３１，４１の外壁材１７の幅寸法より短く形成されており、短寸の外壁材１７の左右両側に位置する骨組み１４は露出されている。
外壁材１７の両側端縁に沿って中間柱１０Ａがそれぞれ配置されている。本実施形態では中間柱１０Ａを含んで骨組み１４が構成されている。
これらの中間柱１０Ａは、その上端部が長辺天井梁１２Ａに接合され、その下端部が長辺床梁１３Ａに接合されている。
建物ユニット３３，４３の骨組み１４の左右両側には第４のブラケット２４を介してファサードウォール材１９１，１９２の上部が取り付けられ、第５のブラケット２５を介してファサードウォール材１９１，１９２の下部が取り付けられている。
【００２６】
図１３から図１８にはファサードウォール材１９１，１９２の骨組み１４への取付構造が示されている。
図１３はファサードウォール材１９１，１９２の骨組み１４への取付構造を示す縦断面図であり、図１４は１階用のファサードウォール材１９１の上部と第１のブラケット２１との取付構造を示す分解斜視図であり、図１５はファサードウォール材１９１の下部と第２のブラケット２２との取付構造を示す分解斜視図であり、図１６は、その縦断面図であり、図１７は、図１３のＸＶＩＩ−ＸＶＩＩ線に沿う断面図である。
これらの図において、ファサードウォール材１９１，１９２は、それぞれコンクリート等から形成され裏面の両側に凹部が２箇所上下に沿って形成された平板状のブロック体であり、その上下の長さ寸法は外壁材１７の上下の長さ寸法と略等しい。
【００２７】
図１３及び図１４において、第４のブラケット２４は、工場にて予め骨組み１４に取り付けられたユニット側ブラケット２４１と、ファサードウォール側に取り付けられたファサードウォール側ブラケット２４２とを備え、これらのユニット側ブラケット２４１とファサードウォール側ブラケット２４２とが互いに連結された構成である。
ユニット側ブラケット２４１は、断面コ字状とされるとともに、仕口１１及び柱１０の側面あるいは長辺天井梁１２Ａ、長辺床梁１３Ａ及び中間柱１０Ａの正面に接合される。そして、ユニット側ブラケット２４１は、その両端部が長辺天井梁１２Ａと長辺床梁１３Ａとに接合され、かつ、骨組み１４との間には防水部２０が設けられている。この防水部２０はユニット側ブラケット２４１の周辺に沿って形成されるもので、例えば、互いに対向するユニット側ブラケット２４１の間に形成された開口部を図示しない防水シートで閉塞するものでもよく、あるいは、ユニット側ブラケット２４１と外壁材１７との間に図示しないパッキン材を設けるものでもよく、要するに、ユニット側ブラケット２４１を含めて建物ユニット３３で防水処理が完結しているものであれば、その具体的な手段を問わない。なお、防水シートは現場での施工時あるいは施工後に取り除いてもよい。
【００２８】
ファサードウォール側ブラケット２４２は、ピラスター側ブラケット２１２と同様の構造であり、ユニット側ブラケット２４１に対向する板部２１２Ａと、この板部２１２Ａに溶接固定された箱状部２１２Ｂと、この箱状部２１２Ｂの正面に固定された係合片部２１２Ｃとを備えている。この係合片部２１２Ｃは中央部と箱状部２１２Ｂの正面との間の隙間に係合部としてのアングル材２１２Ｄの一片部が挿通される。このアングル材２１２Ｄは、その他端片部がファサードウォール材１９１，１９２の裏面側上端部に形成された取付凹部に当接されるとともにボルト２１２Ｅでファサードウォール材１９１に取り付けられている。
板部２１２Ａは、その上下に２箇所の孔部がナット２１１Ｃに対応する位置に形成され、これらの孔部を通ったボルト２１２Ｆがユニット側ブラケット２４１に接合されたナット２１１Ｃに螺合される。
【００２９】
図１５から図１７において、第５のブラケット２５は前記ユニット側ブラケット２４１と、ファサードウォール側に取り付けられたファサードウォール側ブラケット２５２とを備え、これらのユニット側ブラケット２４１とファサードウォール側ブラケット２５２とが互いに連結された構成である。
ファサードウォール側ブラケット２５２はピラスター側ブラケット２２２と同様の構造であり、ユニット側ブラケット２４１に対向する板部２１２Ａと、この板部２１２Ａの下部に溶接固定された箱状部２１２Ｂと、この箱状部２１２Ｂの正面に一片部が固定された係合部としてのアングル材２２２Ｃとを備えており、このアングル材２２２Ｃは、その他片部がボルト２１２Ｅを介してファサードウォール材１９１の下端部に取り付けられている。
板部２１２Ａは、その上下に２箇所の孔部がナット２１１Ｃに対応する位置に形成され、これらの孔部を通ったボルト２１２Ｆがユニット側ブラケット２４１に接合されたナット２１１Ｃに螺合される。
【００３０】
図１８は２階用のファサードウォール材１９２の上部と第６のブラケット２６との取付構造を示す分解斜視図である。
図１３及び図１８において、第６のブラケット２６は、前記ユニット側ブラケット２４１と、ファサードウォール側に取り付けられたファサードウォール側ブラケット２６２とを備え、これらのユニット側ブラケット２４１とファサードウォール側ブラケット２６２とが互いに連結された構成である。
ファサードウォール側ブラケット２６２はピラスター側ブラケット２３２と同様の構造であり、ユニット側ブラケット２４１に対向する板部２１２Ａと、この板部２１２Ａの下部に溶接固定された箱状部２１２Ｂと、この箱状部２１２Ｂの正面に固定された係合片部２１２Ｃとを備えている。この係合片部２１２Ｃは、その中央部と箱状部２１２Ｂの正面との間に係合部としてのアングル材２１２Ｄの長尺状一片部が挿通される。
このアングル材２１２Ｄは、その他端片部がファサードウォール材１９２の上端部に形成された取付凹部に当接されるとともにボルト２１２Ｅでファサードウォール１９２に取り付けられている。
２階用のファサードウォール材１９２の下部は骨組み１４に第５のブラケット２５を介して取り付けられている。
【００３１】
次に、本実施形態にかかるユニット式建物１の施工方法について説明する。
まず、工場において、建物ユニット３１〜３３，４１〜４３、ピラスター材１８１，１８２及びファサードウォール材１９１，１９２を製造する。このうち、建物ユニット３２，４２には、予め、骨組み１４にユニット側ブラケット２１１，２２１，２３１，２４１を接合しておき、これらの間に防水部２０を設けておく。
これらの建物ユニット３１〜３３，４１〜４３やピラスター材１８１，１８２及びファサードウォール材１９１，１９２等を建設現場まで搬送する。
建設現場では、基礎２の上に１階用の建物ユニット３１〜３３を配置して建物の１階部分を施工し、さらに、１階部分の上に２階用の建物ユニット４１〜４３を配置して２階部分を施工し、この２階部分の上に屋根を施工する。
【００３２】
ここで、建設現場において、建物ユニット３１〜３３，４１〜４３を基礎２の上に配置した後、あるいは、配置する前において、建物ユニット３２，４２にピラスター材１８１，１８２を取り付け、建物ユニット３３，４３にファサードウォール材１９１，１９２を取り付ける。
１階用の建物ユニット３２にピラスター材１８１を取り付けるにあたり、ピラスター側ブラケット２１２をユニット側ブラケット２１１に接合し、ピラスター側ブラケット２２２をユニット側ブラケット２２１に接合し、ユニット側ブラケット２１１にピラスター材１８１の上端部を、ユニット側ブラケット２２１にピラスター材１８１の下端部をそれぞれ取り付ける。同様に、２階用の建物ユニット４２にピラスター材１８２を取り付けるにあたり、ピラスター側ブラケット２３２をユニット側ブラケット２３１に接合し、このユニット側ブラケット２３１にピラスター材１８２の上端部を取り付け、予め接合された取付金具２３３を介してピラスター材１８２の下端部を１階用のピラスター側ブラケット２１２に支持する。
【００３３】
１階用及び２階用の建物ユニット３３，４３にファサードウォール材１９１，１９２を取り付けるにあたり、ファサードウォール側ブラケット２４２、２５２，２６２をユニット側ブラケット２４１に接合し、ユニット側ブラケット２４１にファサードウォール材１９１，１９２の上下端部をそれぞれ取り付ける。
なお、隣り合うピラスター材１８１，１８２同士あるいはピラスター材１８１，１８２と外壁材１７との間、さらには、ファサードウォール材１９１，１９２同士あるいはファサードウォール材１９１，１９２と外壁材１７との間では、通常実施される防水処理を行う。
【００３４】
以上のような本実施形態によれば以下の効果がある。
（１）ピラスター１Ａを構成するピラスター材１８１，１８２やファサードウォール１Ｂを構成するファサードウォール材１９１，１９２を支持するブラケット２１〜２６の一部を骨組み１４に予め工場で取り付け、これらのブラケット２１〜２６の一部と骨組み１４とに防水部２０を設けたから、工場にてブラケット２１〜２６の一部と骨組み１４との防水処理が完結することになり、現場での防水処理が容易となる。さらに、ピラスター１Ａやファサードウォール１Ｂ自体を建物ユニットで構成しないから、建物ユニット自体の構造が複雑にならない。
【００３５】
（２）ブラケット２１〜２６は骨組み１４の柱１０に沿った部分に接合されているから、ピラスター材１８１，１８２やファサードウォール材１９１，１９２の垂直荷重がブラケット２１〜２６を介してそのまま柱１０に伝達されることになり、ピラスター材１８１，１８２やファサードウォール１９１，１９２を建物ユニット３２，３３，４２，４３で確実に支持することができる。
【００３６】
（３）装飾用建物構造物がピラスター１Ａである場合、ブラケット２１〜２３は工場にて予め骨組み１４に取り付けられたユニット側ブラケット２１１，２２１，２３１と、ピラスター側に取り付けられたピラスター側ブラケット２１２，２２２，２３２とを備え、これらのユニット側ブラケット２１１，２２１，２３１とピラスター側ブラケット２１２，２２２，２３２とが互いに連結される構成であるため、建物ユニットの構造を複雑化することなく、ピラスター１Ａをユニット式建物に容易に施工することができる。
【００３７】
（４）ピラスター側ブラケット２１２，２２２，２３２はピラスター材１８１，１８２に予め取り付けられたアングル材２１２Ｄ，２２２Ｃに係合されるから、ピラスター材１８１，１８２の取付作業を容易に行うことができる。
【００３８】
（５）装飾用建物構造物がファサードウォール１Ｂである場合、ブラケット２４〜２６は断面コ字状とされるユニット側ブラケット２４１を備えるから、建物ユニットの構造を複雑化することなく、ファサードウォール１Ｂをユニット式建物に容易に施工することができる。しかも、ユニット側ブラケット２４１の断面コ字状の開口部分を、ファサードウォール材１９１，１９２の建物ユニット３３，４３への取付作業用スペースとして有効に利用することができる。
【００３９】
次に、本発明の第２実施形態を図１９から図２２に基づいて説明する。なお、第２実施形態の説明において第１実施形態と同一の構成要素は同一符号を付して説明を省略する。
図１９は第２実施形態にかかるユニット式建物の概略構成が示されている。
図１９において、ユニット式建物５は、第１実施形態と同様に、基礎２の上に１階用の建物ユニット３１，３４，３５が配置され、これらの１階用の建物ユニット３１，３４，３５の上に２階用の建物ユニット４１，４４，４５が配置され、これらの２階用建物ユニット４１，４４，４５の上に図示しない屋根が配置されている。
ユニット式建物５の正面側の一側には装飾用建物構造物としてのウィングウォール１Ｃが上下に延びて１列形成され、他側には装飾用建物構造物としてのファサードウォール１Ｄが上下に延びて２列形成されている。
ウィングウォール１Ｃは１階用のウィングウォール材２８１と、２階用のウィングウォール材２８２とから構成され、これらのウィングウォール材２８１，２８２は上下に直線上に延びて配置されている。
ファサードウォール１Ｄは１階用のファサードウォール材２９１と、２階用のファサードウォール材２９２とから構成され、これらのファサードウォール材２９１，２９２は上下に延びて配置されている。
【００４０】
１階用の建物ユニット３１，３４，３５は、標準の建物ユニット３１と、ウィングウォール材２８１が取り付けられた建物ユニット３４と、ファサードウォール材２９１が取り付けられた建物ユニット３５との３種類から構成されている。
２階用の建物ユニット４１，４４，４５は、標準の建物ユニット４１と、ウィングウォール材２８２が取り付けられた建物ユニット４４と、ファサードウォール材２９２が取り付けられた建物ユニット４５との３種類から構成されている。
【００４１】
図２０はウィングウォール材２８１，２８２が建物ユニット３４，４４に取り付けられる状態を示す分解斜視図である。
図２０において、建物ユニット３４，４４は、標準の建物ユニット３１，４１と同じ骨組み１４を有するものであり、その正面には正面略矩形状の外壁材１７が取り付けられている。
建物ユニット３４，４４の骨組み１４には第７のブラケット２７を介してウィングウォール材２８１，２８２が取り付けられている。
ウィングウォール２８１，２８２は、それぞれ縦枠２８Ａ、上方横枠２８Ｂ及び下方横枠２８Ｃから略コ字形に形成されるフレーム２８Ｆと、縦枠２８Ａに設けられたブロック体２８Ｄと、フレーム２８Ｆの両側面に設けられた面材２８Ｅとを有する構造である。
ブロック体２８Ｄは平面が略Ｌ字型に形成されたコンクリートブロックであり、図示しない金具を介して縦枠２８Ａに取り付けられている。面材２８Ｅはフレーム２８Ｆを挟んで対向配置されており、図示しない金具でフレーム２８Ｆに取り付けられている。この面材２８Ｅはコンクリート、その他の材質から略板状に形成されている。
上方横枠２７Ｂ及び上方横枠２７Ｃは、それぞれ角パイプ状に形成されており、その先端部は面材２８Ｅの端縁から突出している。
【００４２】
第７のブラケット２７は、工場にて予め骨組み１４に取り付けられたユニット側ブラケット２７１と、ウィングウォール材２８１，２８２に取り付けられたウィングウォール側ブラケット２７２とから構成されている。
ユニット側ブラケット２７１は、上下に対向配置された水平片部の端縁同士を鉛直部で接続した断面略コ字状に形成されており、その鉛直部にはボルト孔２７Ｇが形成されている。
ウィングウォール側ブラケット２７２は、ユニット側ブラケット２７１に差し込むものであり、上方横枠２７Ｂや上方横枠２７Ｃの面材２８Ｅから突出した先端部から構成される。この先端部にはユニット側ブラケット２７１のボルト孔２７Ｇに対応する位置にボルト孔２８Ｇが形成されている。これらのボルト孔２７Ｇ，２８Ｇには図示しないボルトが挿通されてユニット側ブラケット２７１とウィングウォール側ブラケット２７２が互いに接合される。
【００４３】
そして、骨組み１４とユニット側ブラケット２７１との間には防水部２０が設けられている。
この防水部２０は主にユニット側ブラケット２７１の周縁部に設けられ柱１０の長手方向に沿って形成されるものである。防水部２０は、例えば、ユニット側ブラケット２７１と外壁材１７との間にパッキン材を取り付ける、あるいは、ユニット側ブラケット２７１と仕口１１及び柱１０との間に防水テープを設ける等の適宜な手段で構成される。
【００４４】
図２１及び図２２にはファザードウォール材２９１，２９２の建物ユニット３５，４５への取付構造が示されている。図２１はファザードウォール材２９１，２９２が建物ユニット３５，４５に取り付けられた状態を示す分解斜視図であり、図２２は、その水平断面図である。
図２１及び図２２において、建物ユニット３５，４５の骨組み１４には第８のブラケット２８を介してファザードウォール材２９１，２９２の上下端部がそれぞれ取り付けられている。なお、建物ユニット３５，４５は、その正面に配置される外壁材１７の両側端縁に沿ってサイド用外壁材１７１がそれぞれ配置されている。
【００４５】
ファサードウォール材２９１，２９２は、それぞれ右縦枠２９Ａ、左縦枠２９Ｂ、上方横枠２９Ｃ及び下方横枠２９Ｄから略口形に形成されるフレーム２９Ｆと、上方横枠２９Ｃ及び下方横枠２９Ｄにそれぞれ設けられたパネル受け金具２９Ｅと、これらのパネル受け金具２９Ｅに取り付けられる正面パネル２９Ｇと、右縦枠２９Ａに取り付けられたＬ字型のコーナパネル２９Ｈと、を備えている。左縦枠２９Ｂの長手方向に沿って各パイプ状の取付枠２９Ｊが設けられ、この取付枠２９Ｊの角部に沿ってＬ字型のコーナパネル２９Ｋが設けられている。このコーナパネル２９Ｋの一片はサイド用外壁材１７１と対向する。
パネル２９Ｆ，２９Ｈ、２９Ｋは、それぞれコンクリート等から形成されるブロック体であり、その上下の長さ寸法は外壁材１７の上下の長さ寸法と略等しい。
【００４６】
第８のブラケット２８は、工場にて予め骨組み１４に取り付けられたユニット側ブラケット２８１と、ファサードウォール側に取り付けられたファサードウォール側ブラケット２８２とを備え、これらのユニット側ブラケット２８１とファサードウォール側ブラケット２８２とが互いに連結された構成である。
ユニット側ブラケット２８１は、それぞれ断面コ字状とされ、かつ、上部の仕口１１及び長辺天井梁１２Ａと、下部の仕口１１及び長辺床梁１３Ａとの正面に接合される。
このユニット側ブラケット２８１は、互いに対向する水平片部２８１Ａと、これらの水平片部２８１Ａ同士を接続する鉛直片部２８１Ｂとを有する断面コ字状に形成され、この鉛直片部２８１Ａにはボルト孔２８Ｌが形成されている。
ファサードウォール側ブラケット２８２は、ユニット側ブラケット２８１に差し込むように角パイプ状に形成されている。このブラケット２８２にはユニット側ブラケット２８１のボルト孔２８Ｌに対応する位置にボルト孔２８Ｌが形成されている。これらのボルト孔２８Ｌには図示しないボルトが挿通されて両ブラケットが接合される。
【００４７】
そして、ユニット側ブラケット２８１と骨組み１４との間には防水部２０が設けられている。この防水部２０はユニット側ブラケット２８１の周辺に沿って形成されるもので、例えば、互いに対向する柱１０とサイド用外壁材１７１の間に形成された開口部を図示しない防水シートで閉塞するものでもよく、あるいは、ユニット側ブラケット２８１と外壁材１７との間に図示しないパッキン材を設けるものでもよく、要するに、ユニット側ブラケット２８１を含めて建物ユニット３５，４５で防水処理が完結しているものであれば、その具体的な手段を問わない。なお、防水シートは現場での施工時あるいは施工後に取り除いてもよい。
【００４８】
以上の構成の第２実施形態では第１実施形態と同様の作用効果を奏することができる他、次の作用効果を奏することができる。
つまり、第８のブラケット２８を、工場にて予め骨組み１４に取り付けられたユニット側ブラケット２８１と、ファサードウォール側に取り付けられたファサードウォール側ブラケット２８２とを備えて構成し、ユニット側ブラケット２８１を、上部の仕口１１、長辺天井梁１２Ａ、下部の仕口１１及び長辺床梁１３Ａの正面にそれぞれ接合される構成としたから、これらのブラケットの骨組み１４への取付が容易となる。
【００４９】
なお、本発明は前記実施形態に限定されるものではなく、本発明の目的を達成できる範囲での変形、改良等は本発明に含まれるものである。
例えば、前記実施形態では、前記実施形態では、ブラケットを工場にて予め骨組み１４に取り付けたユニット側ブラケットと、ピラスター側やファサードウォール側に取り付けたブラケットとの２種類のブラケットを備えた構成としたが、本発明では、ブラケットを１種類としてもよい。
前記実施形態では、ユニット式建物は２階建ての建物であるが、本発明は３階以上の建物や１階の建物にも適用することができる。
本発明では、第１実施形態のピラスター１Ａと第２実施形態のファザードウォール１Ｄとの組み合わせや、第１実施形態のファザードウォール１Ｂと第２実施形態のウィングウォール１Ｃとの組み合わせでもよい。
【産業上の利用可能性】
【００５０】
本発明は、住宅等の建物や、店舗等の建物に利用できる。
【図面の簡単な説明】
【００５１】
【図１】本発明の第１実施形態に係るユニット式建物を示す斜視図。
【図２】標準の建物ユニットの骨組みを示す概略斜視図。
【図３】ピラスターが形成された１階用の建物ユニットの骨組みを示す概略斜視図。
【図４】ピラスターが形成された２階用の建物ユニットの骨組みを示す概略斜視図。
【図５】ピラスターの骨組みへの取付構造を示す縦断面図。
【図６】１階用のピラスター材の上部とブラケットとの取付構造を示す分解斜視図。
【図７】１階用のピラスター材の下部とブラケットとの取付構造を示す分解斜視図。
【図８】図７の縦断面図。
【図９】図５のＩＸ−ＩＸ線に沿う断面図。
【図１０】２階用のピラスター材の上部とブラケットとの取付構造を示す分解斜視図。
【図１１】２階用のピラスター材の下部と取付金具との取付構造を示す分解斜視図。
【図１２】ファサードウォールが形成された建物ユニットの骨組みを示す概略斜視図。
【図１３】ファサードウォール材の骨組みへの取付構造を示す縦断面図。
【図１４】１階用のファサードウォール材の上部とブラケットとの取付構造を示す分解斜視図。
【図１５】ファサードウォール材の下部とブラケットとの取付構造を示す分解斜視図。
【図１６】図１５の縦断面図。
【図１７】図１３のＸＶＩＩ−ＸＶＩＩ線に沿う断面図。
【図１８】２階用のファサードウォール材の上部とブラケットとの取付構造を示す分解斜視図。
【図１９】本発明の第２実施形態に係るユニット式建物の斜視図。
【図２０】ウィングウォールが建物ユニットに取り付けられる状態を示す分解斜視図。
【図２１】ファザードウォール材が建物ユニットに取り付けられた状態の分解斜視図。
【図２２】ファザードウォール材が建物ユニットに取り付けられた状態の水平断面図。
【符号の説明】
【００５２】
１，５…ユニット式建物、１Ａ…ピラスター（装飾用建物構造物）、１Ｂ，１Ｄ…ファサードウォール（装飾用建物構造物）、１Ｃ…ウィングウォール（装飾用建物構造物）、１０…柱、１０Ａ…中間柱、１２…天井梁、１３…床梁、１４…骨組み、１７…外壁材、２０…防水部、２１…第１のブラケット、２２…第２のブラケット、２３…第３のブラケット、２４…第４のブラケット、２５…第５のブラケット、２６…第６のブラケット、２７…第７のブラケット、２８…第８のブラケット、３１〜３３，４１〜４３建物ユニット、１８１，１８２…ピラスター材、１９１，１９２，２９１，２９２…ファサードウォール材、２８１，２８２…ウィングウォール材、２１１，２７１，２８１…ユニット側ブラケット、２１２…ピラスター側ブラケット、２１２Ｄ…アングル材（係合部）、２２１…ユニット側ブラケット、２２２…ピラスター側ブラケット、２２２Ｃ…アングル材（係合部）、２３１…ユニット側ブラケット、２３２…ピラスター側ブラケット、２４１…ユニット側ブラケット、２４２…ファサードウォール側ブラケット、２５２…ファサードウォール側ブラケット、２７２…ウィングウォール側ブラケット、２６２，２８２…ファサードウォール側ブラケット
【図１】
0005401050.tif 000002
【図２】
0005401050.tif 000003
【図３】
0005401050.tif 000004
【図４】
0005401050.tif 000005
【図５】
0005401050.tif 000006
【図６】
0005401050.tif 000007
【図７】
0005401050.tif 000008
【図８】
0005401050.tif 000009
【図９】
0005401050.tif 000010
【図１０】
0005401050.tif 000011
【図１１】
0005401050.tif 000012
【図１２】
0005401050.tif 000013
【図１３】
0005401050.tif 000014
【図１４】
0005401050.tif 000015
【図１５】
0005401050.tif 000016
【図１６】
0005401050.tif 000017
【図１７】
0005401050.tif 000018
【図１８】
0005401050.tif 000019
【図１９】
0005401050.tif 000020
【図２０】
0005401050.tif 000021
【図２１】
0005401050.tif 000022
【図２２】
0005401050.tif 000023